(57)【特許請求の範囲】
【請求項１】
複数の押釦を摺動自在に支持するとともに嵌合孔が設けられた筺体と、
この筺体に開閉自在で閉じることにより前記押釦を覆うとともに前記嵌合孔に係合する係合部を設けた蓋と、
前記押釦の押圧操作によって導電部を昇降自在とするように弾性変形するラバーシートと、
このラバーシートが載置されラバーシートの導電部によって開閉される接点部を有するプリント配線板とを備えた電子機器の構造において、
前記ラバーシートに前記嵌合孔を覆い嵌合孔と前記筺体との間を遮断する凹部を一体に形成し、このラバーシートによって前記係合部を覆うことを特徴とする電子機器の構造。
【発明の詳細な説明】
【０００１】
【発明の属する技術分野】
本発明は、押釦の押圧操作によって導電部が昇降するように弾性変形するラバーシートと、このラバーシートの導電部によって開閉される接点部を有するプリント配線板とからなるキーボードスイッチが設けられた電子機器の構造に関する。
【０００２】
【従来の技術】
図２および図３は従来の電子機器の構造を示したものであって、図２は平面図、図３（ａ）は図２におけるIII（ａ）-III（ａ）線断面図、同図（ｂ）は図２におけるIII（ｂ）-III（ｂ）線断面図である。
これらの図において、全体を符号１で示す電子機器の筺体は、筺体本体２とこの筺体本体２の一端側に枢着され、筺体本体２の操作面７を開閉する蓋３とによって構成されている。
【０００３】
筺体本体２は、アッパーケース５とロアーケース６とによって密閉された箱状に形成され、アッパーケース５の上面は平坦状に形成され、操作面７が形成されている。この操作面７には、多数の摺動孔８と２個の表示窓９，９と、嵌合孔１０が穿設され、摺動孔８には、押釦１１が操作面７から頭部を露呈させるようにして摺動自在に支持されている。
【０００４】
図３において、１２はラバーシートであって、上述した摺動孔８の下方に位置付けられるように、平面視において長方形に形成されている。このラバーシート１２の摺動孔８に対応した部位は、厚みの大きい押圧部１３が形成され、この押圧部１３の下端には、図示を省略した導電部が形成されており、この押圧部１３は厚みの小さい連結部１４によって連結され、この連結部１４が弾性変形することにより、昇降自在に支持されている。
【０００５】
１５はラバーシート１２が載置されたプリント配線板、１６は制御基板であって、共に図示を省略したブラケットを介してロアーケース６にそれぞれ固定されている。プリント配線板１５の上述したラバーシート１２の押圧部１３に対応した部位には、図示を省略した接点部が設けられ、この接点部は押圧部１３の導電部によって開閉されるように構成されている。
【０００６】
アッパーケース５の嵌合孔１０の開口端の一端側には、この嵌合孔１０の一部に臨むように、係合片１８が水平方向に突設され、嵌合孔１０の開口端縁には、この嵌合孔１０を囲む囲い壁１９が下方に突設されている。２０は囲い壁１９の下端に設けられ係合片１８の型を抜くための型抜き孔であって、制御基板１６によって遮蔽されている。
【０００７】
図３（ａ）において、２１は発光素子としてのＬＥＤであって、上述したアッパーケース５の表示窓９に対応するようにプリント配線板１５に搭載されている。２２は透明部材によって形成されたカバーであって、断面が略コ字状に形成され、上端中央には、表示窓９に嵌合する突部が設けられ、ＬＥＤ２１を覆っている。
【０００８】
上述した蓋３は枢支部３ａを回動中心としてアッパーケース５の一端側に回動自在に支持され、枢支部３ａと反対側の他端には、係合部としてのフック２３が図中矢印Ａ−Ｂ方向に揺動自在に支持されている。このフック２３は、蓋３によってアッパーケース５の操作面７を閉じたときに、上述した嵌合孔１０に嵌合するように位置付けられ、嵌合することにより係合片１８に係合し、蓋３によって操作面７が閉じられた状態を保持する。２４は摘みであって、蓋３にＡ−Ｂ方向に摺動自在に支持され、この摘み２４を図中矢印Ａ方向に摺動させると、フック２３がＡ方向に揺動してフック２３と係合片１８との係合が解除され、蓋３を開くことができるように構成されている。
【０００９】
【発明が解決しようとする課題】
しかしながら、上述した従来の電子機器の構造においては、ＬＥＤ２１とアッパーケース５の表示窓９との間にカバー２２を設ける構造としていることにより、部品点数が増加するだけではなく、プリント配線板１５とアッパーケース５との狭い空間に外形寸法の小さいカバー２２を組み付ける作業が煩雑であった。また、嵌合孔１０に型抜き孔２０を設けなければならず、このため、制御基板１６と囲い壁１９の下端との間の密閉状態が必ずしも完全ではなく、この間から塵埃等が侵入するという問題もあった。
【００１０】
本発明は上記した従来の問題に鑑みなされたものであり、第１の目的は部品点数を削減するとともに、組立を容易にすることにある。第２の目的は筺体内への塵埃等の侵入を阻止することにある。
【００１１】
【課題を解決するための手段】
この目的を達成するために、請求項１記載の発明は、複数の押釦を摺動自在に支持するとともに嵌合孔が設けられた筺体と、この筺体に開閉自在で閉じることにより前記押釦を覆うとともに前記嵌合孔に係合する係合部を設けた蓋と、前記押釦の押圧操作によって導電部を昇降自在とするように弾性変形するラバーシートと、このラバーシートが載置されラバーシートの導電部によって開閉される接点部を有するプリント配線板とを備えた電子機器の構造において、前記ラバーシートに前記嵌合孔を覆い嵌合孔と前記筺体との間を遮断する凹部を一体に形成し、このラバーシートによって前記係合部を覆うものである。
したがって、嵌合孔から侵入する塵埃等はラバーシートによって筺体内への侵入が阻止される。
【００１３】
【発明の実施の形態】
以下、本発明の一実施例を図に基づいて説明する。図１は本発明に係る電子機器の構造を示したものであって、同図（ａ）は図２におけるIII（ａ）-III（ａ）線断面図、同図（ｂ）は図２におけるIII（ｂ）-III（ｂ）線断面図である。図１において、上述した図２および図３に示す従来技術において説明した同一の部材または同等の部材は、同一の符号を付して詳細な説明は適宜省略する。
【００１４】
本発明の第１の特徴は、ラバーシート１２を乳白色の光透過性のゴム材によって形成した点にある。また、第２の特徴は、同図（ａ）に示すように、ラバーシート１２に、ＬＥＤ２１を覆うカバー部１２ａと、このカバー部１２ａの上端中央にアッパーケース５の表示窓９に嵌合する突部１２ｂとを一体に形成した点にある。さらに、第３の特徴は、同図（ｂ）に示すように、嵌合孔１０に対応して、この嵌合孔１０を覆い嵌合孔１０と筺体２内との間を遮断する凹部１２ｃを一体に形成した点にある。
【００１５】
このように、ラバーシート１２を透光性を有する材料によって形成するとともに、カバー部１２ａおよび突部１２ｂを一体に形成したことにより、このラバーシート１２がＬＥＤ２１のカバーとして機能する。したがって、従来必要としていたカバー２２が不要になり部品点数が削減されるばかりか、外形寸法の小さいカバー２２の組付け作業が不要になるので、組立作業が容易になる。
【００１６】
また、ラバーシート１２に、嵌合孔１０を覆い嵌合孔１０と筺体２内との間を遮断する凹部１２ｃを一体に形成したことにより、嵌合孔１０内が密閉状態になり、嵌合孔１０内に侵入する塵埃等の筺体２内への侵入が阻止される。したがって、ラバーシート１２の導電部とプリント配線板１５の接点部との間に塵埃等が侵入するのを防止でき、接触不良を防止することができる。
【００１７】
【発明の効果】
以上説明したように、請求項１記載の発明によれば、密閉状態が良好になり、塵埃が筺体内に侵入するのが阻止される。
【図面の簡単な説明】
【図１】  本発明に係る電子機器の構造を示したものであって、同図（ａ）は図２におけるIII（ａ）-III（ａ）線断面図、同図（ｂ）は図２におけるIII（ｂ）-III（ｂ）線断面図である。
【図２】  従来の電子機器の構造の平面図である。
【図３】  同図（ａ）は図２におけるIII（ａ）-III（ａ）線断面図、同図（ｂ）は図２におけるIII（ｂ）-III（ｂ）線断面図である。
【符号の説明】
１…電子機器、２…筺体、３…蓋、５…アッパーケース、６…ロアーケース、８…摺動孔、９…表示窓、１０…嵌合孔、１１…押釦、１２…ラバーシート、１２ａ…カバー部、１２ｂ…突部、１２ｃ…凹部、１５…プリント配線板、２３…フック。
【図１】
0003690172.tif 000002
【図２】
0003690172.tif 000003
【図３】
0003690172.tif 000004